(57)【特許請求の範囲】
【請求項１】
胴に沿って渡される紐によって、前記胴の両端の革の張りを調節する和太鼓において、
前記胴の前記端からそれぞれ延出してきた各紐を再び当該端に向かって折り返す折り返し手段が前記胴の外周面から突出しており、
両端の革の張りを独立して調整できることを特徴とする和太鼓。
【請求項２】
前記折り返し手段は、前記折り返し手段が設けられている位置から前記胴の一方の端までの距離が、前記折り返し手段が設けられている位置から胴の他方の端までの距離より短くなっていることを特徴とする請求項１に記載の和太鼓。
【請求項３】
前記折り返し手段は、Ｕ字状の棒体からなり、
この棒体は、Ｕ字の両端が前記胴の外周面に固定されていることを特徴とする請求項１または２に記載の和太鼓。
【請求項４】
胴に沿って渡される紐によって、前記胴の両端の革の張りを調節する和太鼓において、
略ハの字状に張り渡された隣り合う紐が通されており、任意の位置でその隣り合う紐の間隔を短くできるように案内するために、前記隣り合う紐に沿って前記胴の端に対して接近及び離反可能となっている張力調節手段を有することを特徴とする請求項１から３のいずれかに記載の和太鼓。
【発明の詳細な説明】
【技術分野】
【０００１】
本発明は、胴の両端の革が紐締めされている和太鼓に関する。
【背景技術】
【０００２】
太鼓の胴の両端の革が紐締めされている和太鼓として、桶胴太鼓や締太鼓が知られている。太鼓は胴の両端に張設された革面を桴で打ち、その打音の振動が胴を伝わって反対側の革を響かせると共に、太鼓の内部を共鳴箱として大きな音を発している。そして、革面の振動が止まるまで余韻が持続する。
【０００３】
このような和太鼓は胴の両端に張設された革の張りを調整することによって、音程を調節することができる。革の張りを調整して音程を調節する和太鼓として、特開２００２−１４９１５４号公報に記載の和太鼓がある。
【０００４】
特開２００２−１４９１５４号公報に記載の和太鼓は、一木づくりで中央部がくびれた鼓形に胴を形成し、胴の両面に当てた革を、この革を張設するリング枠に交互に引掛け、胴に沿って渡すと共に、胴の中央部で円周に沿って巻き締めた紐で当着したことを特徴とする。胴の中央部で円周に沿って巻き締めた紐の締め具合を調整することで、胴の両端に張設された革の張りを調整することができるようになっている。
【先行技術文献】
【特許文献】
【０００５】
【特許文献１】特開２００２−１４９１５４号公報
【発明の概要】
【発明が解決しようとする課題】
【０００６】
上記特開２００２−１４９１５４号公報の和太鼓では、両端の革の張りを独立して調整することができないという問題があった。
【０００７】
また、上記特開２００２−１４９１５４号公報の和太鼓では、胴の中央部で紐を円周に沿って巻き締めた後、再度音程の調整が必要となった場合に、その紐を取り外して再び巻き締める必要がある。したがって、革の張りの調整に時間がかかるという問題もあった。
【０００８】
上記点より本発明は、両端の革の張りを独立して調整することができ、その革の張りの調整を容易かつ短時間で行うことができる和太鼓を提供することを目的とする。
【課題を解決するための手段】
【０００９】
上記課題を解決するため、請求項１の和太鼓は胴に沿って渡される紐によって、前記胴の両端の革の張りを調節する和太鼓において、前記胴の前記端からそれぞれ延出してきた各紐を再び当該端に向かって折り返す折り返し手段が前記胴の外周面から突出しており、両端の革の張りを独立して調整できる
【００１０】
請求項１の和太鼓によれば、前記胴の前記端からそれぞれ延出してきた各紐を再び当該端に向かって折り返す折り返し手段が前記胴の外周面から突出しているので、共通の一本の紐ではなく、独立した二本の各紐で、胴の両端の革をそれぞれ締めることができる。したがって、両端の革の張りを独立して調整することができる。
【００１１】
請求項２の和太鼓は、請求項１の和太鼓において、前記折り返し手段は、前記折り返し手段が設けられている位置から前記胴の一方の端までの距離が、前記折り返し手段が設けられている位置から胴の他方の端までの距離より短くなっている。
【００１２】
請求項２の和太鼓によれば、請求項１の和太鼓と同様に作用する上に、和太鼓にストラップを付けて演奏者の肩から和太鼓を吊って和太鼓の胴の中央に使用者の体が位置する場合において、折り返し手段が使用者の体に食い込むことを防止できる。
【００１３】
請求項３の和太鼓は、請求項１又は請求項２の和太鼓において、前記折り返し手段は、Ｕ字状の棒体からなり、この棒体は、Ｕ字の両端が前記胴の外周面に固定されている。
【００１４】
請求項３の和太鼓によれば、請求項１又は請求項２の和太鼓と同様に作用する上に、Ｕ字状の棒体からなっていることによって、折り返し手段に使用者の体が当たっても怪我すること防止できる。さらに、Ｕ字の離れた２つの直線部で、それぞれ一方の端からの紐と他方の端からの紐を折り返すことができるので、両方の紐が接触干渉することなく折り返すことができる。
【００１５】
請求項４の和太鼓は、請求項１から請求項３のいずれかの和太鼓において、胴に沿って渡される紐によって、前記胴の両端の革の張りを調節する和太鼓において、略ハの字状に張り渡された隣り合う紐が通されており、任意の位置でその隣り合う紐の間隔を短くできるように案内するために、前記隣り合う紐に沿って前記胴の端に対して接近及び離反可能となっている張力調節手段を有する。
【００１６】
請求項４の和太鼓によれば、請求項１から請求項３のいずれかの和太鼓と同様に作用する上に、張力調節手段を端に近づけたり遠ざけたりすることによって、略ハの字状に張り渡された隣り合う紐の張りを容易に調整することができる。したがって、紐の張りを調整するために、その紐を取り外して再び巻き締める必要がないので、革の張りの調整を容易かつ短時間で行うことができる。
【発明の効果】
【００１７】
請求項１から３のいずれかの発明によれば、両端の革の張りを独立して調整することができる。また、請求項４の発明によれば、その革の張りの調整を容易かつ短時間で行うことができる。
【図面の簡単な説明】
【００１８】
【図１】本発明の一実施形態の和太鼓の斜視図である。
【図２】図１の和太鼓の折り返し手段付近の拡大斜視図である。
【図３】張力調節手段による紐の張力調節を示す側面概略図である。
【発明を実施するための形態】
【００１９】
本発明の一実施形態である和太鼓１について、以下説明する。
【００２０】
和太鼓１は、図１に示すように、胴２と、この胴２の両端にそれぞれ当着されている革部３１，３２と、革部３１，３２をそれぞれ胴２の端に向かって押し付けるために胴２に沿って渡されている紐４１，４２とから構成される。
【００２１】
和太鼓１は、桶胴太鼓であり、紐４１，４２によって、革部３１，３２の革の張りを調節できるようになっている。
【００２２】
胴２は、縦に割られた板を寄せて円筒状にしたものである。胴２は、円筒の軸線方向の中央部が膨らんだ形状となっている。
【００２３】
革部３１，３２は、円盤状となっており、革がリング枠に張設されたものである。革部３１，３２の直径は、胴２の両端の外径より大きくなっている。
【００２４】
革部３１，３２は、リング枠に革を張り置き、リング枠に沿って革の周囲を折り返し、折り返し端部と表面とを縫着して形成する。縫着はリング枠の内径に沿った円形の位置と、その内側であって胴２の外径に沿った円形の位置になされる。
【００２５】
革部３１，３２は、それぞれリング枠の内径に沿って適宜間隔で紐の挿通孔６１，６２が設けられている。
【００２６】
胴２の外周面からは折り返し手段４が突出している。胴２の両端からそれぞれ延出してきた二本の紐４１，４２を再び胴２の両端に向かって折り返すことができるようになっている。
【００２７】
具体的には、紐４１は、胴２の端の革部３１の挿通孔６１を通り、折り返し手段４に向かって延出し、折り返し手段４によって折り返され、胴２の端の革部３１に向かって延出し、すでに通った挿通孔６１の隣の挿通孔６１を通ること繰り返す。同様に、紐４２は、革部３２の挿通孔６２を通り、折り返し手段４に向かって延出し、折り返し手段４によって折り返され、胴２の端の革部３２に向かって延出し、すでに通った挿通孔６２の隣の挿通孔６２を通ること繰り返す。その結果、紐４１及び紐４２は、折り返しを挟んで隣り合う紐が略ハの字状となっている。
【００２８】
折り返し手段４は、折り返し手段４が設けられている位置から胴２の一方の端である革部３１側の端までの距離が、折り返し手段４が設けられている位置から胴２の他方の端である革部３２側の端までの距離より短くなっている。
【００２９】
折り返し手段４は、胴２の外周面から突出するＵ字状の棒体からなる。棒体は横断面が円形となっている。折り返し手段４で折り返される紐４１，４２との摩擦抵抗及び摩耗を抑制するためである。この棒体は、Ｕ字の両端が胴２の外周面に固定されている。図２に示すように、折り返し手段４のＵ字の離れた２つの直線部で、それぞれ一方の端からの紐４１と他方の端からの紐４２を折り返すことができるので、両方の紐４１、４２が接触干渉することなく折り返すことができる。
【００３０】
図１に示すように、張力調節手段７は、略ハの字状に張り渡された隣り合う紐４２が通されている。張力調節手段は、任意の位置で、その略ハの字状の隣り合う紐４２の間隔を短くできるように紐４２を案内するために、胴２の端に対して隣り合う紐４２に沿って接近及び離反可能となっている。
【００３１】
張力調節手段７は、両側に開口部を有するスリーブである。図３（Ａ）に示すように、そのスリーブに通された隣り合う紐４２の間隔が短い側である４２ｂ及び４２ｄ側の開口部が記隣り合う紐４２の間隔が長い側である４２ａ及び４２ｂ側の開口部より小さくなっている。
【００３２】
図３の（Ａ）は、張力調節手段７が、胴２の革部３２側の端から離れた位置にある場合を示す。図３の（Ｂ）は、張力調節手段７が、胴２の革部３２側の端に近い位置にある場合を示す。
【００３３】
図３の（Ａ）における４２ａ＋４２ｂ＋４２ｃ＋４２ｄ＋張力調節手段７に通っている部分の長さが、図３の（Ｂ）における４２ｅ＋４２ｆ＋４２ｇ＋４２ｈ＋張力調節手段７に通っている部分の長さより短くなっている。したがって、紐４２はＡよりＢの方が伸ばされているので、紐４２の張力はＡよりＢの方が強い。
【００３４】
張力調節手段７を胴２の革部３２側の端に対して隣り合う紐４２に沿って接近及び離反させることによって、紐４２の張力を調節できる。したがって、紐４２の張りを調整するために、紐４２を取り外して再び巻き締める必要がなく、革部３２の革の張りを容易かつ短時間で行うことができる。
【００３５】
上記実施形態では、桶胴太鼓の場合について説明したが、これに限定されることなく、胴に沿って渡される紐によって、前記胴の両端の革の張り具合を調節する締太鼓等の和太鼓や鼓であってもよい。
【００３６】
上記実施形態では、胴２が縦に割られた板を寄せて円筒状にしたものである場合について説明したが、これに限定されることなく、輪切りにした一本の木をくり抜いたものであってもよいし、木以外の材料からなる円筒であってもよい。
【００３７】
上記実施形態では、胴２が円筒の軸線方向の中央部が膨らんだ形状となっている場合について説明したが、これに限定されることなく、胴は円筒の軸線方向の中央部がくびれた鼓状のものでもよいし、胴は円筒の軸線を法線とする横断面形状が一定であってもよい。
【００３８】
上記実施形態では、革部３１，３２がリング枠と革からなる場合について説明したがこれに限定されることなく、革に挿通孔が直接設けられていてもよい。
【００３９】
上記実施形態では、折り返し手段４は、胴２の一方の端である革部３１側の端までの距離が、胴２の他方の端である革部３２側の端までの距離より短くなっている場合について説明したが、これに限定されることなく、例えば太鼓を置いて使う場合には、胴の一方の端である革部側の端までの距離が、胴の他方の端である革部側の端までの距離が等しくてもよい。
【００４０】
上記実施形態では、折り返し手段４は、胴２の外周面から突出するＵ字状の棒体からなる場合について説明したが、これに限定されることなく、折り返し手段４の形状は、紐４１，４２が接触干渉することがなく折り返せる形状であればよい。
【００４１】
折り返し手段４は、胴２に対して着脱可能であってもよい。
【００４２】
上記実施形態では、張力調節手段７がスリーブである場合について説明したが、これに限定されることなく、隣り合う紐それぞれが貫通する２つの貫通孔が設けられているものであってもよい。
【符号の説明】
【００４３】
１                          和太鼓
２                          胴
４                          折り返し手段
７                          張力調節手段
３１，３２                  革部
４１，４２、４２ａ〜４２ｈ  紐
６１，６２                  挿通孔
【図１】
0006407039.tif 000002
【図２】
0006407039.tif 000003
【図３】
0006407039.tif 000004